(57)【要約】【課題】低外気温条件下の冷房運転で且つ運転停止の室内機がある場合に、停止側室内機に接続の冷媒配管に冷媒が滞留し、循環する冷媒量が減少して冷房能力が低下することの無い多室形空気調和機を提供する。【解決手段】圧縮機と室外熱交換器との間の配管と、減圧装置と室内熱交換器との間の複数の冷媒配管との間を、複数のバイパス管にて接続し、前記減圧装置と室内熱交換器との間の冷媒配管に接続の複数のバイパス管各々にバイパス用開閉装置を一つづつ設け、低外気温条件下の冷房運転で且つ運転停止の室内機がある場合には、圧縮機から吐出された冷媒の一部を前記バイパス管を介し運転停止側の室内熱交換器に循環させる。【選択図】図１
2007255861.tif 000002
【特許請求の範囲】
【請求項１】
圧縮機、流路切換弁、室外熱交換器、および複数の減圧装置を順次接続した一台の室外機と、室内熱交換器を備えた複数台の室内機と、前記室外機と室内機とを接続する冷媒配管とからなる多室形空気調和機において、前記圧縮機と室外熱交換器との間の配管と、前記減圧装置と室内熱交換器との間の複数の冷媒配管との間を複数のバイパス管にて接続し、前記減圧装置と室内熱交換器との間の冷媒配管に接続の複数のバイパス管各々にバイパス用開閉装置を一つづつ設けたことを特徴とする多室形空気調和機。
【発明の詳細な説明】
【技術分野】
【０００１】
本発明は、室外機一台に対して複数台の室内機が接続された多室形空気調和機に係わり、より詳細には、低外気温条件下での冷房運転において冷媒の滞留を防止することのできる冷媒回路の構成に関する。
【背景技術】
【０００２】
この種の多室形空気調和機においては各々の室内機に流れる冷媒量を調整するための減圧装置を液側冷媒配管側に設けた冷媒回路が知られており、一例として図３に示すようなものがある。図３は１台の室外機に２台の室内機を接続した多室形空気調和機で、８は室外に設置された室外機で主に圧縮機１、流路切換弁２、室外熱交換器３、冷暖房用電動膨張弁４ａ，４ｂを備えている。また１０ａおよび１１ａは室内に設置された室内機で、室内側１０ａは室内熱交換器９ａを、室内機１０ｂは室内熱交換器９ｂを備えており、前記室外機８と室内機１０ａ，１０ｂは冷媒配管１１，１２，１３，１４により接続されている。
【０００３】
上記構成の冷媒回路において室内機１０ａ，１０ｂが共に冷房運転の場合には、冷暖房用電動膨張弁４ａ，４ｂを空調負荷に応じ各々の開度を制御する。これにより前記圧縮機１から吐出された高温高圧のガス冷媒は流路切換弁２を介して室外熱交換器３に流入し、同室外熱交換器３で熱を放出して凝縮し低温の液冷媒となり、冷暖房用電動膨張弁４ａ，４ｂを通って減圧され、続いて冷媒配管１１，１２を通り室内熱交換器９ａ，９ｂに流入する。室内熱交換器９ａ，９ｂで各々の室内の熱を吸収して室内を冷房することにより、低温低圧の液冷媒が蒸発して低温低圧のガス冷媒となり、冷媒配管１３，１４および流路切換弁２を経て圧縮機１に戻る。また、室内機のどちらか一方のみが冷房運転の場合には、停止側の室内熱交換器に直列で接続されている冷暖房用電動膨張弁を全閉とすることによって、冷媒を冷房運転の室内熱交換器側のみに流し、冷房運転側の室内のみを冷房する。
【０００４】
また、図３と同様の構成の冷媒回路に室外熱交換器の温度を検出する室外熱交換器温度センサを加え、低外気温条件下で室内機のどちらか一方のみ冷房運転を行ない、且つ前記室外熱交換器温度センサの検出温度が基準温度より低くなると、全閉状態の停止側の室内熱交換器に直列で接続されている冷暖房用電動膨張弁を所定の時間開いて、停止側の室内熱交換器にも冷媒を流すようにした多室形空気調和機もある（例えば、特許文献１参照）。
【０００５】
【特許文献１】特開平７−２０８８２４号公報
【発明の開示】
【発明が解決しようとする課題】
【０００６】
しかしながら、図３の冷媒回路を用いた従来の技術では、外気温が低いときに室内機のどちらか一方のみ冷房運転を行うと、停止側の室内機には冷媒が循環していないため、停止側の室内機に接続の冷媒配管内に冷媒が凝縮して滞留する。これにより冷房運転側の室内機に循環する冷媒量が減少し、冷房能力が運転時間の経過と共に低下してしまうという問題がある。この問題に対し、特許文献１に記載の従来技術を用いることにより、停止側の室内機に接続の冷媒配管内に滞留した冷媒が圧縮機に戻り、循環する冷媒量が減少した状態を一時的に解消することは可能となるが、停止側の室内熱交換器に室外熱交換器で熱を放出し低温となった冷媒が断続して流れるため、停止側の室内熱交換器の温度が低下してしまい、このため前記室内熱交換器と接していたり、近傍にある部品の温度も低温となり、これらの部品表面に結露が発生し、その結露水が室内機外に滴下するという問題がある。
【０００７】
本発明は、上記の問題点に鑑みなされたものであり、その目的は、低外気温条件下の冷房運転で且つ運転停止の室内機がある場合において、停止側の室内機に接続の冷媒配管に冷媒が滞留し、冷房運転側の室内機に循環する冷媒量が減少し、冷房能力が運転時間の経過と共に低下することの無い多室形空気調和機を提供することにある。
【課題を解決するための手段】
【０００８】
前記目的を達成するために、本発明に係る多室形空気調和機は、圧縮機、流路切換弁、室外熱交換器、および複数の減圧装置を順次接続した一台の室外機と、室内熱交換器を備えた複数台の室内機と、これらを接続する冷媒配管とからなる多室形空気調和機において、前記圧縮機と室外熱交換器との間の配管と、前記減圧装置と室内熱交換器との間の複数の冷媒配管との間を複数のバイパス管にて接続し、前記減圧装置と室内熱交換器との間の冷媒配管に接続の複数のバイパス管各々にバイパス用開閉装置を一つづつ設け、低外気温条件下の冷房運転で且つ運転停止の室内機がある場合は、バイパス用開閉装置が開き圧縮機から吐出された冷媒の一部がバイパス管を介し停止側の室内熱交換器に流れる構成とした。
【発明の効果】
【０００９】
本発明の多室形空気調和機によれば、低外気温条件下の冷房運転で且つ運転停止の室内機がある場合は、バイパス用開閉装置が開き、圧縮機から吐出された冷媒の一部がバイパス管を介し停止側の室内熱交換器に流れるので、停止側の室内機に接続の冷媒配管内に冷媒が凝縮して滞留することが無く、冷房運転側の室内熱交換器に流れる冷媒量が減少することが無いので、冷房能力の低下を防止することが可能となる。
【発明を実施するための最良の形態】
【００１０】
以下、本発明の多室形空気調和機の一実施形態を図面に基づいて説明する。
【００１１】
図１は本発明の一実施形態の多室形空気調和機を示す冷凍サイクル系統図、図２は実施形態１の多室形空気調和機の冷房運転時の電動膨張弁および開閉弁の動作説明図である。
【００１２】
本実施形態の多室形空気調和機は、室外機８に複数台（図１では２台）の室内機１０ａ，１０ｂを冷媒配管１１，１２，１３，１４で接続してなるものである。室外機８は圧縮機１、流路切換弁２、室外熱交換器３、冷暖房用電動膨張弁４ａ，４ｂと、前記圧縮機１と流路切換弁２との間の配管と冷媒配管１１，１２との間を接続するバイパス管５，６ａ，６ｂとを備えており、前記バイパス管６ａにはバイパス用開閉弁７ａが、前記バイパス管６ｂにはバイパス用開閉弁７ｂが具備されている。一方前記室内側１０ａは室内熱交換器９ａを、室内機１０ｂは室内熱交換器９ｂを備えている。また前記室外機８は、外気温を検出する外気温センサ１５を備えている。
【００１３】
上記構成において、室内機１０ａ，１０ｂが共に冷房運転の場合、および室内機１０ａ，１０ｂの一方のみ冷房運転で且つ外気温センサの検出温度が所定温度より高い場合（低外気温検出無しの場合）の冷媒の流れについて説明する。前記バイパス用開閉弁７ａ，７ｂは閉となり、圧縮機１から吐出された高温高圧のガス冷媒は流路切換弁２を介して室外熱交換器３に流入し、同室外熱交換器３で熱を放出して凝縮し低温の液冷媒となり、冷暖房用電動膨張弁４ａ，４ｂを通って減圧され、続いて冷媒配管１１，１２を通り室内熱交換器９ａ，９ｂに流入する。同室内熱交換器９ａ，９ｂで室内の熱を吸収して室内を冷房することにより、低温低圧の液冷媒が蒸発して低温低圧のガス冷媒となり、冷媒配管１３，１４および流路切換弁２を経て圧縮機１に戻る。尚、上記において室内機１０ａ，１０ｂの一方のみ冷房運転の場合は、冷暖房用電動膨張弁４ａ，４ｂの一方が閉となり、冷媒は冷房運転側の室内熱交換器にのみ流れる。
【００１４】
次に、室内機１０ａ，１０ｂの一方のみ冷房運転で且つ外気温センサの検出した温度が所定の温度より低い場合（低外気温検出有りの場合）の冷媒の流れについて説明する。例えば室内機１０ａのみが冷房運転の場合、冷暖房用電動膨張弁４ａを空調負荷に応じて開度の制御を行ない、冷暖房用電動膨張弁４ｂ、バイパス用減圧装置７ａを閉に、バイパス用開閉弁７ｂを開とする。圧縮機１から吐出された高温高圧のガス冷媒は流路切換弁２側とバイパス管５側に分流される。流路切換弁２に流れた冷媒は、室外熱交換器３に流入し、同室外熱交換器３で熱を放出して凝縮し低温の液冷媒となり、冷暖房用電動膨張弁４ａを通って減圧され、続いて冷媒配管１１を通り室内熱交換器９ａに流入する。同室内熱交換器９ａで室内の熱を吸収して室内を冷房することにより、低温低圧の液冷媒が蒸発して低温低圧のガス冷媒となり、冷媒配管１３に流れる。一方、バイパス管５に流れた冷媒は、バイパス管６ｂに具備されたバイパス用開閉弁７ｂを介し冷媒配管１２へ流れ、更に室内熱交換器９ｂを通り冷媒配管１４に流れる。冷媒配管１３と冷媒配管１４に流れた冷媒は合流し、流路切換弁２を経て圧縮機１に戻る。尚、室内機１０ｂのみが冷房運転の場合、冷暖房用電動膨張弁４ａ、バイパス用開閉弁７ｂは閉に、冷暖房用電動膨張弁４ｂ、バイパス用開閉弁７ａは開となり、流路切換弁２に流れた冷媒は室内熱交換器９ｂに、バイパス管５に流れた冷媒は室内熱交換器９ａに流れる。
【００１５】
なお、上記実施形態で、圧縮機１と流路切換弁２との間の冷媒配管にバイパス管５の一端を接続としたが、流路切換弁２と室外熱交換器３との間の冷媒配管にバイパス管５の一端を接続としてもよい。
【図面の簡単な説明】
【００１６】
【図１】本発明の一実施形態の多室形空気調和機の冷媒回路図。
【図２】本発明の一実施形態の多室形空気調和機の冷房運転時の電動膨張弁および開閉弁の動作説明図。
【図３】従来例の多室形空気調和機の冷媒回路図。
【符号の説明】
【００１７】
１…圧縮機、２…流路切換弁、３…室外熱交換器、４ａ，４ｂ…冷暖房用電動膨張弁、５，６ａ，６ｂ…バイパス配管、７ａ，７ｂ…バイパス用開閉弁、８…室外機、９ａ，９ｂ…室内熱交換器、１０ａ，１０ｂ…室内機、１１，１２，１３，１４…冷媒配管、１５…外気温センサ。
【図１】
2007255861.tif 000003
【図２】
2007255861.tif 000004
【図３】
2007255861.tif 000005